(57)【要約】【課題】パイプに挿入された状態で屋根上に配されている線材を、建物内に引き込むために適した線材引き込み具を提供する。【解決手段】着脱式に本体１０を被覆する蓋体５０を備える線材引き込み具の本体１０を、平板状のベース部１１、ベース部１１に貫設されたベース孔部１５、ベース部１１からＵ字形に立設されており、Ｕ字の湾曲部１７ｃでベース孔部１５を囲んでいる立壁部１７、及び、立壁部１７におけるＵ字の開端よりベース孔部１５に近い位置でベース部１１から立設されており、両側が立壁部１７に連続していると共に、パイプ用コネクタ６０を挿通するための挿通孔２５が貫設されているコネクタ支持部２０、を具備する構成とする。【選択図】図１
2020198719.tif 000002
【特許請求の範囲】
【請求項１】
屋根上から建物内へ線材を引き込むための線材引き込み具であって、
本体と、該本体に対して着脱される蓋体とを備えており、
前記本体は、
平板状のベース部、
該ベース部に貫設されたベース孔部、
前記ベース部からＵ字形に立設されており、Ｕ字の湾曲部で前記ベース孔部を囲んでいる立壁部、及び、
該立壁部におけるＵ字の開端より前記ベース孔部に近い位置で前記ベース部から立設されており、両側が前記立壁部に連続していると共に、パイプ用コネクタを挿通するための挿通孔が貫設されているコネクタ支持部、を具備しており、
前記蓋体は、
前記立壁部を囲む周壁部、及び、
前記立壁部に囲まれた空間を被覆する被覆部、を具備している
ことを特徴とする線材引き込み具。
【請求項２】
前記コネクタ支持部は、前記ベース部との境界に形成された小孔部を一つ以上有しており、
該小孔部の孔サイズは、６ｍｍ以下である
ことを特徴とする請求項１に記載の線材引き込み具。
【請求項３】
前記本体及び前記蓋体は金属製であり、
前記蓋体がネジ用孔部を有している一方で、前記立壁部はネジ溝を有しており、
前記立壁部に囲まれた空間を前記被覆部が被覆している状態で、前記ネジ用孔部を挿通して前記ネジ溝と螺合しているネジによって、前記蓋体が前記立壁部に固定されていると共に、
前記ネジは、ネジ頭部が備える鋸歯またはネジ頭部に当接させるワッシャが備える鋸歯を前記蓋体に食い込ませることにより、前記蓋体と前記本体とを導通させている
ことを特徴とする請求項１に記載の線材引き込み具。
【請求項４】
前記本体は、弧状壁を更に備えており、
該弧状壁は、ベース孔部の周縁の一部に沿ってベース部から円弧状に立設されており、両側が前記立壁部に連続していることにより、前記立壁部の前記湾曲部と共に略円形を形成しており、
該弧状壁の上端は、前記立壁部から離れるに従って高さが低くなり中央で最も低くなるように、下方に窪む円弧状に形成されている
ことを特徴とする請求項１に記載の線材引き込み具。
【請求項５】
前記ベース部は、棟側端辺が逆Ｖ字形をなしている
ことを特徴とする請求項１に記載の線材引き込み具。
【発明の詳細な説明】
【技術分野】
【０００１】
本発明は、屋根上から建物内へ線材を引き込むために用いられる線材引き込み具に関するものである。
【背景技術】
【０００２】
本出願人は過去に、屋根上に設置された太陽電池モジュールからの出力用電線や、テレビアンテナからのアンテナ線などの線材を建物内に引き込むための線材引き込み具を提案している（特許文献１参照）。この線材引き込み具は、屋根に敷設される屋根葺き材に代替して用いられるベース部に、孔部が穿設されているものである。この孔部が、屋根貫通孔と連通する位置で、線材引き込み具を屋根上に設置することにより、孔部と屋根貫通孔とを介して線材を屋根上から建物内に引き込むことができる。
【０００３】
この線材引き込み具では、ベース部から立設された立壁部が、軒側に向かって開口していると共に上方に開口しており、軒側端から孔部に引き込まれる線材の通路を囲んでいる。また、この線材引き込み具は、立壁部に対して着脱され、立壁部に囲まれた空間を上方から被覆する蓋体を備えている。このような構成の線材引き込み具では、蓋体を取り外せば、孔部に引き込まれる線材の通路の上方、及び孔部の上方が大きく開放されるため、孔部に線材を引き込む作業を容易に行うことができる。また、孔部は立壁部で囲まれていると共に、上方から蓋体で被覆された空間で開口しているため、屋根上を流下する雨水の孔部への流入を、蓋体及び立壁部によって防止することができる。
【０００４】
ところで、屋根上に線材が配される場合、線材の保護のために、線材がスチール管のようなパイプに挿入された状態とされることがある。そのため、そのような状態で屋根上に配されている線材を、建物内に引き込むために適している線材引き込み具に対する要請があった。
【先行技術文献】
【特許文献】
【０００５】
【特許文献１】特許第４８６９１４１号公報
【発明の概要】
【発明が解決しようとする課題】
【０００６】
そこで、本発明は、上記の実情に鑑み、パイプに挿入された状態で屋根上に配されている線材を、建物内に引き込むために適した線材引き込み具の提供を、課題とするものである。
【課題を解決するための手段】
【０００７】
上記の課題を解決するため、本発明に係る線材引き込み具は、
「屋根上から建物内へ線材を引き込むための線材引き込み具であって、
本体と、該本体に対して着脱される蓋体とを備えており、
前記本体は、
平板状のベース部、
該ベース部に貫設されたベース孔部、
前記ベース部からＵ字形に立設されており、Ｕ字の湾曲部で前記ベース孔部を囲んでいる立壁部、及び、
該立壁部におけるＵ字の開端より前記ベース孔部に近い位置で前記ベース部から立設されており、両側が前記立壁部に連続していると共に、パイプ用コネクタを挿通するための挿通孔が貫設されているコネクタ支持部、を具備しており、
前記蓋体は、
前記立壁部を囲む周壁部、及び、
前記立壁部に囲まれた空間を被覆する被覆部、を具備している」ものである。
【０００８】
「線材」としては、屋根上に設置された太陽電池モジュールや風力発電装置からの出力用電線、テレビアンテナからのアンテナ線、照明装置への入力用電線を例示することができる。
【０００９】
本構成の線材引き込み具を使用する際は、屋根に貫設された貫通孔にベース孔部が連通するように、本体を屋根に取り付ける。線材引き込み具はコネクタ支持部を備えており、コネクタ支持部にはパイプ用コネクタを挿通するための挿通孔が形成されている。そのため、線材を挿入しているパイプを、パイプ用コネクタによってコネクタ支持部に固定することができる。これより、パイプに挿入された状態で屋根上に配されていた線材を、立壁部によって囲まれた空間内に引き入れ、ベース孔部及び屋根の貫通孔を介して、建物内に引き込むことができる。
【００１０】
ベース孔部は、立壁部によって囲まれた空間であって、蓋体で被覆されている空間で開口しているため、ベース孔部を介して建物内に雨水が浸入するおそれが低減されている。
【００１１】
また、蓋体は本体に対して着脱されるものであるため、線材が挿入されているパイプをコネクタ支持部に固定されたパイプ用コネクタに接続する作業や、立壁部に囲まれた空間でパイプから引き出した線材を、ベース孔部を介して建物内に引き込む作業を、蓋体が取り外された状態で容易に行うことができる。
【００１２】
そして、線材が挿入されているパイプが固定されるコネクタ支持部は、外方に向かって開放される位置に設けざるを得ない構成であるが、コネクタ支持部は立壁部のＵ字における開端よりベース孔部に近い位置、すなわち、立壁部で囲まれた空間の内部でベース部から立設されている。そのため、コネクタ支持部に貫設された挿通孔を介して、雨水が内方に浸入し、更にベース孔部を介して建物内に浸入するおそれが防止されている。
【００１３】
本発明に係る線材引き込み具は、上記構成に加え、
「前記コネクタ支持部は、前記ベース部との境界に形成された小孔部を一つ以上有しており、
該小孔部の孔サイズは、６ｍｍ以下である」ものとすることができる。
【００１４】
小孔部の「孔サイズ」は、小孔部が円形孔の場合はその直径であり、小孔部が非円形孔である場合は、周縁間の距離が最も長い部分の距離である。
【００１５】
本構成では、コネクタ支持部においてベース部との境界に小孔部が形成されている。そこで、コネクタ支持部が軒側となりベース孔部が棟側となるように本体を屋根に取り付ければ、何らかの理由で、立壁部で囲まれた空間内に雨水が浸入したとしても、屋根の流れ方向（棟から軒に向かう方向）にベース部上を流下する雨水が、小孔部を介して排出されるため、ベース孔部を介して建物内へ雨水が浸入することを防止することができる。
【００１６】
また、小孔部の孔サイズは６ｍｍ以下であるため、雨水は十分に通過できるが、昆虫などの小動物は通過できない。そのため、排水用の小孔部を介して外部から小動物が立壁部で囲まれた空間に入り込み、ひいてはベース孔部を介して建物内に小動物が入り込むおそれが低減されている。
【００１７】
本発明に係る線材引き込み具は、上記構成に加え、
「前記本体及び前記蓋体は金属製であり、
前記蓋体がネジ用孔部を有している一方で、前記立壁部はネジ溝を有しており、
前記立壁部に囲まれた空間を前記被覆部が被覆している状態で、前記ネジ用孔部を挿通して前記ネジ溝と螺合しているネジによって、前記蓋体が前記立壁部に固定されていると共に、
前記ネジは、ネジ頭部が備える鋸歯またはネジ頭部に当接させるワッシャが備える鋸歯を前記蓋体に食い込ませることにより、前記蓋体と前記本体とを導通させている」ものとすることができる。
【００１８】
一般的に、屋根上に設置される部材にネジを留め付けるとき、ネジと部材との間に防水用パッキンを介在させる。防水用パッキンは、通常は電気絶縁性の材料で形成されている。これに対し、本構成では、本体及び蓋体が共に金属製である場合において、蓋体を本体に固定するネジとして、鋸歯付きの頭部を有するネジを使用するか、或いは、ネジと蓋体との間に介在させるワッシャとして鋸歯付きのものを使用することにより、ネジを介して蓋体と本体とを導通させる。つまり、蓋体を本体に固定するためのネジに、蓋体と本体とを導通させる役割を兼ねさせている。
【００１９】
ネジ頭部の鋸歯またはネジ頭部を当接させるワッシャの鋸歯を蓋体に食い込ませているため、仮に蓋体の表面に不働態皮膜が形成されていても、ネジと蓋体とを確実に導通させることができる。一方、本体にはネジ溝が形成されており、ここにネジがねじ込まれるため、ネジと本体とが導通する。
【００２０】
なお、蓋体を本体に固定するためのネジが複数ある場合、これらのネジの全てを介して蓋体と本体とを導通させる必要はなく、これらのネジの一部によって蓋体と本体とを導通させても良い。
【００２１】
本発明に係る線材引き込み具は、上記構成に加え、
「前記本体は、弧状壁を更に備えており、
該弧状壁は、ベース孔部の周縁の一部に沿ってベース部から円弧状に立設されており、両側が前記立壁部に連続していることにより、前記立壁部の前記湾曲部と共に略円形を形成しており、
該弧状壁の上端は、前記立壁部から離れるに従って高さが低くなり中央で最も低くなるように、下方に窪む円弧状に形成されている」ものとすることができる。
【００２２】
本構成では、立壁部に囲まれた空間内に引き入れられた線材は、弧状壁を越えてからベース孔部に引き入れられる。従って、雨水が線材を伝わって立壁部に囲まれた空間内まで入って来たとしても、弧状壁を越えるために上昇する線材を伝わって上昇することはできず、ベース孔部に雨水が浸入するおそれを低減することができる。そして、弧状壁は、円形のベース孔部に沿う形状であるため、弧状壁を越えるように上昇させた線材ベース孔部に引き込む作業が行い易い。また、弧状壁は、上下方向において円弧状に窪んでいる形状であるため、立壁部に囲まれた空間内で線材をフレキシブル管に挿入させた場合も、フレキシブル管を弧状壁に沿わせ易い。従って、フレキシブル管に挿入された状態の線材をベース孔部に引き込む際に、弧状壁との間に空隙が形成されにくい。
【００２３】
本発明に係る線材引き込み具は、上記構成に加え、
「前記ベース部は、棟側端辺が逆Ｖ字形をなしている」ものとすることができる。
【００２４】
本構成では、屋根上を流下する雨水が逆Ｖ字形の棟側端辺によって、両側に案内される。これにより、屋根上を流下する雨水が、ベース部に乗り上げるおそれが低減されている。
【発明の効果】
【００２５】
以上のように、本発明によれば、パイプに挿入された状態で屋根上に配されている線材を、建物内に引き込むために適した線材引き込み具を、提供することができる。
【図面の簡単な説明】
【００２６】
【図１】図１は本発明の一実施形態の線材引き込み具の分解斜視図である。
【図２】図２は図１の線材引き込み具の本体の平面図である。
【図３】図３は図１の線材引き込み具の本体の斜視図を、蓋体を底面側ら見た斜視図と共に示した図である。
【図４】図４は図１の線材引き込み具の使用状態を示す断面図である。
【図５】図５は図１の線材引き込み具の使用状態を示す斜視図である。
【図６】図６は変更例の本体の斜視図である。
【図７】図７は図６の本体の平面図である。
【発明を実施するための形態】
【００２７】
以下、本発明の一実施形態である線材引き込み具１について、図１乃至図５に基づいて説明する。線材引き込み具１は、本体１０と、本体１０に対して着脱される蓋体５０とを備えている。本体１０及び蓋体５０は、アルミニウムやステンレス鋼などの金属製、耐候性を有する樹脂製、またはセラミックス製とすることができるが、本実施形態では共に金属製である。
【００２８】
本体１０は、ベース部１１と、ベース孔部１５と、立壁部１７と、コネクタ支持部２０と、弧状壁３０とを、主に備えている。ベース部１１は平板状であり、平行な一対の側辺１１ａ，１１ａと、これらに直交する端辺１１ｂと、端辺１１ｂに対向する端辺１１ｃを有している。端辺１１ｃは、中央が頂部１１ｅとなった逆Ｖ字形をなしている。
【００２９】
ベース孔部１５は、ベース部１１を貫通する円形孔であり、ベース部１１の中央より頂部１１ｅ寄りに位置している。立壁部１７はベース部１１から立設されており、平面視（ベース部１１を真上から見た視野）における形状がＵ字形である。立壁部１７は、Ｕ字における湾曲部１７ｃをベース孔部１５に沿わせており、Ｕ字の開端は端辺１１ｂまで達している。立壁部１７の開端は肉厚に形成されており、ここにネジ溝１７ｓが設けられている。また、立壁部１７の湾曲部１７ｃも頂部１１ｅに向かって突出するように肉厚に形成されており、ここにもネジ溝１７ｓが設けられている。
【００３０】
コネクタ支持部２０は、立壁部１７におけるＵ字の開端よりベース孔部１５に近い位置でベース部１１から立設されている。コネクタ支持部２０の両側は、立壁部１７に連続している。コネクタ支持部２０には、パイプ用コネクタ６０を挿通するための円形の挿通孔２５が貫設されている。コネクタ支持部２０の上端は、挿通孔２５の周縁との間に一定の距離を保つように円弧状に湾曲している。コネクタ支持部２０の上端の一部には、上方に開口するＣ字形の小さなノッチ２６が形成されている。
【００３１】
また、コネクタ支持部２０は、ベース部１１との境界に小孔部２７を有している。本実施形態では、コネクタ支持部２０の両側において、ベース部１１との境界であると共に立壁部１７との境界でもある位置に、二つの小孔部２７が形成されている。それぞれの小孔部２７の大きさは、周縁間の距離が最大となる部分で６ｍｍ以下となるように設定されている。この孔サイズは、建物の内外を通気させる通気口に配されるメッシュの開口サイズの上限として、米国で規定されている数値に相当する。
【００３２】
弧状壁３０は、ベース孔部１５の周縁の一部に沿ってベース部１１から円弧状に立設されている。ベース孔部１５の周縁のうち弧状壁３０が沿っている部分は、立壁部１７の湾曲部１７ｃが沿っている周縁と対向する部分であり、弧状壁３０の両側は立壁部１７に連続している。これにより、本体１０の平面視では、弧状壁３０は立壁部１７の湾曲部１７ｃと共に略円形を形成している。また、弧状壁３０の高さは、立壁部１７から離れるに従って低くなり、中央で最も低くなっていることにより、端辺１１ｂ側から見たときに、弧状壁３０の上端は下方に窪むように円弧状に湾曲している。つまり、弧状壁３０は、平面視で円弧状であると共に、端辺１１ｂ側から見て円弧状である。
【００３３】
本体１０は、上記構成に加え、固定用孔部１９と、アース用クランプ７０の支持台４０とを有している。固定用孔部１９は、本体１０を屋根に留め付けるためのビス１１０を通すためのものである。本実施形態では、ベース部１１において立壁部１７の両外側と内側に、計三つの固定用孔部１９が形成されている。それぞれの固定用孔部１９の周縁は、固定用孔部１９への雨水の流入を防ぐために、ベース部１１より高く形成されている。
【００３４】
支持台４０は、屋根上に配される線材が電線である場合に、アースのためのワイヤ（図示を省略）を保持させるアース用クランプ７０を支持させる台座である。支持台４０は、ベース部１１においてベース孔部１５の近傍に設けられている。本実施形態では、弧状壁３０と立壁部１７との境界に、支持台４０が設けられている。
【００３５】
一方、蓋体５０は、周壁部５１と被覆部５２ａ，５２ｂとを有している。周壁部５１は、本体１０の立壁部１７を外側から囲むＵ字形である。被覆部５２ａ，５２ｂは、周壁部５１におけるＵ字の開端を除いて周壁部５１に囲まれている空間を被覆する部分であり、平坦な被覆部５２ａと、湾曲した被覆部５２ｂとからなる。平坦な被覆部５２ａは、周壁部５１に沿う平坦な部分であって、本体１０の立壁部１７の上端に載置される部分である。湾曲した被覆部５２ｂは、平坦な被覆部５２ａより内側で、外方に向かって膨らむように湾曲している部分である。被覆部５２ａには、立壁部１７の上端に被覆部５２ａを載置したときにネジ溝１７ｓと一致する位置に、ネジ用孔部５２ｈが貫設されている。
【００３６】
蓋体５０は、周壁部５１におけるＵ字の開端側に蓋体開口５５を有しており、蓋体開口５５の周縁近傍における被覆部５２ｂの形状は、コネクタ支持部２０の上端に沿うように形成されている。
【００３７】
また、蓋体５０は、その裏面から突出した突出壁５７を更に有している。突出壁５７は、立壁部１７に囲まれた空間（以下、「立壁内空間Ｓ」と称する）を蓋体５０で被覆したときに、弧状壁３０とコネクタ支持部２０との間のほぼ中間で突出する位置に形成されている。
【００３８】
次に、本実施形態の線材引き込み具１の使用方法について、主に図４を用いて説明する。屋根Ｒには、線材引き込み具１の設置に先立ち、貫通孔Ｈが形成される。貫通孔Ｈには、ガイド筒９０が挿入される。ガイド筒９０は、貫通孔Ｈより僅かに小径の筒部９１と、貫通孔Ｈより大径のフランジ部９２を有しており、フランジ部９２を屋根Ｒに上方から当接させつつ、筒部９１が貫通孔Ｈに挿入される。
【００３９】
そして、貫通孔Ｈ（及び筒部９１）と、ベース孔部１５とが連通するようにベース部１１を屋根Ｒに当接させた状態で、本体１０を屋根Ｒ上に載置する。このとき、本体１０の向きは、ベース部１１において頂部１１ｅが棟側に、端辺１１ｂが軒側となる向きとする。従って、本実施形態の端辺１１ｃが、本発明の「棟側端辺」に相当する。また、ベース部１１と屋根Ｒとの間、ガイド筒９０と屋根Ｒとの間に、ブチルゴムなどの防水材１２０のシートを介在させる。そして、ベース部１１の固定用孔部１９に通したビス１１０を屋根Ｒにねじ込み、本体１０を屋根Ｒに固定する。
【００４０】
コネクタ支持部２０の挿通孔２５に、パイプ用コネクタ６０を挿通し、コネクタ支持部２０にパイプ用コネクタ６０を固定する。ここでは、パイプ用コネクタ６０において雄ネジ６１を有する端部を挿通孔２５に通した後で、雄ネジ６１をナット６２と螺合させることにより、パイプ用コネクタ６０をコネクタ支持部２０に固定する場合を例示している。また、アース用クランプ７０を、支持台４０に取り付ける（図３参照）。なお、本体１０を屋根に固定する前に、パイプ用コネクタ６０及びアース用クランプ７０を本体１０に取り付けておいても良い。
【００４１】
その後、太陽電池モジュールやテレビアンテナ等から延びた線材Ｗが挿入されているパイプＰを、パイプ用コネクタ６０のうちコネクタ支持部２０から外方に延び出す部分（以下、「外方接続部６６」と称する）に接続する。例えば、外方接続部６６が雄ネジまたは雌ネジを有する場合は、それぞれ螺合する雌ネジまたは雄ネジを端部に備えるパイプを接続することができる。或いは、外方接続部６６に径方向に進退する留めピンが付いているパイプ用コネクタ６０を使用し、外方接続部６６より小径のパイプを挿入して留めピンで固定することにより、雄ネジや雌ネジのないパイプをコネクタ支持部２０に固定することができる。
【００４２】
パイプＰがコネクタ支持部２０に固定されたら、パイプＰから引き出した線材Ｗをベース孔部１５に導き、ベース孔部１５及びガイド筒９０を介して屋根の貫通孔Ｈに線材Ｗを挿入する。これにより、線材Ｗが屋根Ｒの上から建物内に引き込まれる。また、アース用のワイヤを、コネクタ支持部２０のノッチ２６に挿入して立壁内空間Ｓに引き入れ、アース用クランプ７０に保持させた後、線材Ｗと同様にベース孔部１５を介して建物内に引き込む。建物内に引き込まれたアース用のワイヤは、建物内に設置されたアース用端子に留め付けられる。
【００４３】
本実施形態の支持台４０は、本体１０と一体に成形された金属製であり、金属製のアース用クランプ７０が金属製のボルト７１によって支持台４０に取り付けられている。これにより、金属製の本体１０は、アース用クランプ７０を介してアース用のワイヤと導通する。
【００４４】
線材及びアース用のワイヤの引き込み作業が終了したら、平坦な被覆部５２ａを立壁部１７の上端面に載置し、ネジ用孔部５２ｈに挿通したネジ８１を立壁部１７のネジ溝１７ｓにねじ込む。これにより、蓋体５０が本体１０に固定される。
【００４５】
ここでは、蓋体５０を本体１０に固定するためのネジ８１として、金属製のネジを使用し、ネジ頭部８１ｈと蓋体５０との間に鋸歯付きのワッシャ８２を介在させている。ワッシャ８２の鋸歯が蓋体５０に食い込むことにより、蓋体５０とネジ８１とが導通し、ネジ８１をネジ溝１７ｓにねじ込むことによりネジ８１と本体１０とが導通するため、ネジ８１を介して蓋体５０と本体１０とを導通させることができる。
【００４６】
なお、蓋体５０で立壁内空間Ｓを被覆する際には、シール材を配することによって蓋体５０と本体１０との間に生じる空隙を埋めることができる。例えば、立壁部１７の上端に、発泡樹脂などのシール材１３０ａを予めＵ字状に接着しておくことができる（図３参照）。同様に、コネクタ支持部２０の上端にも、その形状に沿うシール材１３０ｂを接着しておくことができる。更に、ベース孔部１５と線材との間にシール材を配することにより、線材を伝わった雨水がベース孔部１５を介して建物内に浸入することを防止することができる。例えば、ベース孔部１５に引き込まれた線材の周囲に生じる空隙を、ペースト状のシール材で埋めることができる。
【００４７】
以上のように、本実施形態の線材引き込み具１によれば、線材Ｗが挿入されているパイプＰを、パイプ用コネクタ６０によってコネクタ支持部２０に固定し、パイプＰに挿入された状態で屋根Ｒ上に配されていた線材Ｗを立壁内空間Ｓに引き入れ、ベース孔部１５を介して建物内に引き込むことができる。そして、ベース孔部１５は、蓋体５０で被覆されている立壁内空間Ｓで開口しているため、ベース孔部１５を介して建物内に雨水が浸入するおそれが低減されている。また、ベース部１１は、端辺１１ｃにおける頂部１１ｅを棟側に向けて配されているため、屋根上を流下する雨水が逆Ｖ字形の端辺１１ｃによって両側に案内され、雨水がベース部１１に乗り上げるおそれが低減されている。
【００４８】
また、蓋体５０は本体１０に対して着脱されるものであるため、線材Ｗが挿入されているパイプＰを、パイプ用コネクタ６０を介してコネクタ支持部２０に固定する作業や、パイプＰから立壁内空間Ｓに引き出した線材Ｗをベース孔部１５を介して建物内に引き込む作業を、蓋体５０を取り外した状態で容易に行うことができる。
【００４９】
線材Ｗが挿通されているパイプＰが固定されるコネクタ支持部２０は、外方に向かって開放される位置に設けざるを得ない構成である。また、コネクタ支持部２０が開放している方向は、軒に向かう方向ではあるが、風などの影響により雨水が軒側から棟側に向かうこともあり得る。これに対し、線材引き込み具１では、コネクタ支持部２０は端辺１１ｂよりベース孔部１５に近い位置、すなわち、立壁内空間Ｓの内部において、ベース部１１から立設されている。そのため、コネクタ支持部２０に貫設された挿通孔２５を介して、雨水が内方に浸入するおそれが防止されている。
【００５０】
加えて、蓋部開口５５は、コネクタ支持部２０の上端に沿う形状であるため、蓋体５０で立壁内空間Ｓを被覆したときに、蓋体５０と本体１０との間に空隙が形成されにくく、空隙を介して雨水が立壁内空間Ｓに浸入するおそれが防止されている。
【００５１】
また、ベース孔部１５の周縁では、ベース孔部１５より軒側でベース部１１から弧状壁３０が立設している。そのため、コネクタ支持部２０に固定されたパイプＰから立壁内空間Ｓに引き出された線材Ｗは、弧状壁３０を越えるために上昇してからベース孔部１５に引き込まれる。従って、雨水が線材Ｗを伝わって立壁内空間Ｓに浸入したとしても、上昇する線材Ｗを伝わって上方に移動することはできないため、雨水が弧状壁３０を越えてベース孔部１５に浸入することを防止することができる。特に、本実施形態はでは、蓋体５０において被覆部５２ｂの裏面から下方に突出している突出壁５７によって、線材Ｗが押し下げられた後で、弧状壁３０に沿って線材Ｗが上昇する。そのため、突出壁５７がない場合に比べて、線材Ｗが上昇する角度を大きくすることが可能であり、ベース孔部１５への雨水の浸入をより効果的に防止することができる。
【００５２】
加えて、弧状壁３０は、円形のベース孔部１５に沿う形状であるため、弧状壁３０を越えるように上昇させた線材Ｗをベース孔部１５に引き込む作業が行い易い。また、弧状壁３０は、上下方向において円弧状に窪んでいる形状である。そのため、屋根上ではパイプＰに挿入されていた線材Ｗを、立壁内空間Ｓ側ではフレキシブル管（図示しない）に挿入させた場合も、フレキシブル管を弧状壁３０に沿わせ易い。従って、フレキシブル管に挿入された状態の線材を、ベース孔部１５を介して建物内に引き込む際に、弧状壁３０とフレキシブ管との間に空隙が形成されにくいと共に、フレキシブ管に弧状壁３０を越えさせる作業を行い易い。この場合、フレキシブル管は、パイプ用コネクタ６０に立壁内空間Ｓ側から接続する。
【００５３】
更に、コネクタ支持部２０には、ベース部１１との境界に小孔部２７が形成されている。そのため、何らかの理由で立壁内空間Ｓの内部に雨水が浸入したとしても、屋根の流れ方向にベース部１１上を流下する雨水が、小孔部２７を通って排出される。
【００５４】
この小孔部２７の孔サイズは、雨水は十分に通過させるが、昆虫などの小動物は通過できない大きさである。そのため、線材引き込み具１を介して建物内に小動物が入り込むおそれを低減しつつ、小孔部２７による排水の作用を発揮させることができる。
【００５５】
更に、本実施形態では、共に金属製である本体１０と蓋体５０とが、ネジ８１と鋸歯付きのワッシャ８２を介して導通しており、本体１０にはアース用クランプ７０によってアース用のワイヤが連結されている。従って、本体１０と蓋体５０との間に防水のために配されたシール材が非導電性であっても、線材引き込み具１の全体がアースされた状態とすることができ、線材Ｗが電線である場合の使用に適している。
【００５６】
以上、本発明について好適な実施形態を挙げて説明したが、本発明は上記の実施形態に限定されるものではなく、本発明の要旨を逸脱しない範囲において、種々の改良及び設計の変更が可能である。
【００５７】
例えば、上記では、コネクタ支持部２０が平面視で直線状である場合を例示したが、図６及び図７に示すように、変形例の本体１０ｂとして、両側が立壁部１７に向かってそれぞれ端辺１１ｂに近付くように傾斜しているコネクタ支持部２０ｂを備える構成とすることができる。小孔部２７は、本体１０と同様に、ベース部１１との境界であると共に立壁部１７との境界である位置に形成されているため、コネクタ支持部２０ｂにおいて両側で傾斜している部分２１に開口している。そのため、小孔部２７から排出される雨水が両外側に向かって流下し易く、小孔部２７の近傍で雨水が滞留するおそれを低減できる利点がある。なお、図６及び図７では、線材引き込み具１と同様の構成について同一の符号を付している。
【００５８】
また、上記では、パイプ用コネクタ６０がナット６２によってコネクタ支持部２０に固定される場合を例示したが、これに限定されず、挿通孔２５の内周面にネジ溝を設け、このネジ溝にパイプ用コネクタ６０の雄ネジ６１を螺合させることによって、パイプ用コネクタ６０がコネクタ支持部２０に固定される構成とすることができる。
【符号の説明】
【００５９】
１  線材引き込み具
１０，１０ｂ  本体
１１  ベース部
１１ｃ  端辺（棟側端辺）
１５  ベース孔部
１７  立壁部
１７ｓ  ネジ溝
２０，２０ｂ  コネクタ支持部
２５  挿通孔
２７  小孔部
５０  蓋体
５１  周壁部
５２ａ，５２ｂ  被覆部
５２ｈ  ネジ用孔部
６０  パイプ用コネクタ
８１  ネジ
８１ｈ  ネジ頭部
８２  ワッシャ
Ｐ  パイプ
Ｒ  屋根
Ｗ  線材
【図１】
2020198719.tif 000003
【図２】
2020198719.tif 000004
【図３】
2020198719.tif 000005
【図４】
2020198719.tif 000006
【図５】
2020198719.tif 000007
【図６】
2020198719.tif 000008
【図７】
2020198719.tif 000009